(57)【要約】【課題】  キッチンのシンク面、カウンター面或いは洗面台などの作業面を照射するとともに、吊り戸棚の半透明の扉面をも発光させ、空間を演出することを可能とする。【解決手段】  吊り戸棚の底板に照明部を備えた照明付き吊り戸棚において、該吊り戸棚は、光を散乱する処理が施された透過性のある面材の扉を備え、該照明部は光源としての蛍光ランプ蛍光ランプを備え、前記照明部は、前記吊り戸棚の下方と、前記吊り戸棚の扉内面とを、照射するようにした。【選択図】  図３
2005287739.tif 000002
【特許請求の範囲】
【請求項１】
吊り戸棚の底板に照明部を備えた照明付き吊り戸棚において、該吊り戸棚は、表面に光を散乱する処理が施された、透過性のある面材の扉を備え、該照明部は光源としての蛍光ランプを備え、前記照明部は、前記吊り戸棚の下方と、前記吊り戸棚の扉とを、照射することを特徴とする照明付き吊り戸棚。
【請求項２】
請求項１記載の照明付き吊り戸棚において、前記照明部は、前記吊り戸棚の下方に向かって光を照射する第１の透光部を該照明部の直下に備え、さらに前記吊り戸棚の扉内面方向に向って光を照射する第２の透光部を、該第１の透光部よりも手前側であって、前記吊り戸棚の底板の端部近傍に備えることを特徴とする照明付き吊り戸棚。
【請求項３】
請求項２記載の照明付き吊り戸棚において、前記照明部は、前記吊り戸棚の下方に向かって前記第１の透光部から出射するように、前記蛍光ランプ蛍光ランプからの光を反射させる第１の反射部材と、前記吊り戸棚の扉内面方向に向って前記第２の透光部から出射するように、前記蛍光ランプからの光を反射させる第２の反射部材とを、備えることを特徴とする照明付き吊り戸棚。
【請求項４】
請求項１記載の照明付き吊り戸棚において、前記照明部は、直下に前記吊り戸棚の下方に向かって光を照射する第１の透光部を備え、さらに前記吊り戸棚の扉内面方向に向かって光を照射する第２の透光部を、前記蛍光ランプの光を導光する導光板の端面とし、該第２の透光部は該第１の透光部よりも手前側であって吊り戸棚の底板の端部近傍に備えることを特徴とする照明付き吊り戸棚。
【請求項５】
請求項１乃至４記載の照明付き吊り戸棚において、前記照明部は、吊り戸棚の底板の表面、及び裏面に飛び出しがないことを特徴とする照明付き吊り戸棚。
【請求項６】
請求項５記載の照明付き吊り戸棚において、前記底板は空洞形状であって、該空洞内に前記照明部を収納することを特徴とする照明付き吊り戸棚。
【発明の詳細な説明】
【技術分野】
【０００１】
本発明は、システムキッチン、流し台、洗面所等に設置する照明付きの吊り戸棚に関する発明である。
【背景技術】
【０００２】
キッチンのシンク面やカウンター面、或いは洗面台などの作業面をある程度均一に照射しようとすると、光源は一般に蛍光ランプが用いられるが、広範囲に照射しようとすると長い蛍光ランプを用いる必要がある。例えば３波長型直管１５ワット形の蛍光ランプは長さ４３６ミリメートル、全光束９７０ルーメン、ランプ電力１５ワットに対し、３波長型直管２０ワット形の蛍光ランプは長さ５８０ミリメートル、全光束１４７０ルーメン、ランプ電力１８ワットである。両者のランプ効率を全光束／ランプ電力で計算すると、１５ワット形では６４．７ルーメン／ワット、２０ワット形では８１．７ルーメン／ワットとなり、ランプ効率は２０ワット形の方が１．２６倍良くなっている。このように蛍光ランプはランプ電力が大きくなるほどランプ長さが長くなり、かつランプ効率もアップする傾向にある。
【０００３】
例えばキッチンの照明器具は、一般に吊り戸棚の底板に取り付けられるが、照明器具とシンク面やカウンター面などの作業面との距離は約５００ミリメートル程度と近く、この面の水平面照度のＪＩＳ推奨値は２００〜５００ルクスからすると、１５ワット形ランプの照明器具で照明器具直下の照度は十分である。しかしながら、１５ワット形では照射する範囲がランプ長さ程度の約５８０ミリメートルであり、最近のシンク面の幅約９００ミリメートルに対しては照射範囲が狭く、明るい部分と明るくない部分が発生し、使いにくい視環境となる。そこで、２０ワット形以上のランプを使用すると、照射範囲は広くなるがランプ効率が良いために明る過ぎとなり、シンク面やカウンター面などの作業面で反射グレアが発生し、目に不快なキッチンとなる。また、透光カバーの色を濃くするなどの手段で明るさを敢えて落とす方法もあるが、その場合、ランプの全光束が有効に使われず、不経済といった問題が生じる。
【０００４】
そこで、照明の笠の部分に穴、又はスリット穴を設け、ランプから発せられる光の一部を上方に照射することでランプの全光束を有効に使う方法がある。陳列棚用照明装置（特許文献１参照）の１例を断面図で図７に示す。１は照明装置、２は笠、３は光を通過させる穴又はスリット穴である。４は照明装置１に取り付けた蛍光ランプ、５は照明装置１を取付用ブラケット又は棚用等支持アームに取り付けるための溝部材、６は蛍光ランプの駆動回路６−１を納めた駆動部である。７は、照明装置１を溝部材５を介して棚用等支持アームに取り付ける取付用ブラケット又は棚用等支持アーム自体である。８は、照明装置１の上に位置し上段の陳列棚を構成する棚板である。
【０００５】
棚板８は、透明、又は半透明であり、蛍光ランプ４より照射された光は、穴、又はスリット穴３を通過し、透明、又は半透明の棚板８を介して棚板８の上方に照射される。この光が照明装置の上部に設けられた陳列棚を通過してその上に載置された商品等を下方から効果的に照明する。
【０００６】
仮に、吊り戸棚の底板に、この陳列棚用照明装置を用いた場合は、下方に向かう光によりシンク面やカウンター面などの作業面が照らされ、笠の部分の穴、又はスリット穴から上方に向かう光により、吊り戸棚の中を照射することにより、戸棚内の収納物が見やすいといったメリットがある。
【０００７】
ここで、システムキッチン、流し台、洗面所等に設置する吊り戸棚は、リビングなどに設置する飾り棚と異なり、調理道具や洗面道具といった生活用品を収納する場所であり、来客者に対して中が見えないように扉を不透明材料で構成されるのが主流であった。しかしながら、最近のシステムキッチン、流し台、洗面所等はオープン空間の傾向にあり、扉を従来の不透明材料で構成すると重々しく感じられるので、扉を半透明の材料、例えば擦りガラス、又は擦りガラス調の樹脂板とした吊り戸棚が増加している。
【０００８】
そこで、扉が半透明の材料の吊り戸棚に、笠の部分に穴、又はスリット穴を設けてランプから発せられる光の一部を戸棚の中に照射させると、収納物の陰が扉表面に投影され、非常に見栄えの悪い吊り戸棚になってしまい、折角の上方への光が台無しである。しかも、近年、光に対する要求が多様化し、ただ明るいばかりではなく光によって空間を引き立たせたいといった市場の声に逆行することになる。
【０００９】
なお、前述の照明器具を吊り戸棚の手前側に設置して、笠の部分の穴、又はスリット穴から上方に向かう光によって戸棚内の収納物の陰が扉にできる限り投影しないようにする方法も考えられる。この場合、下方のシンク面やカウンター面などの作業面に向かう光も手前側に照射されるため、シンク面やカウンター面などの作業面の手前側が明るく奥側が暗くなり、不均一な照度分布となるばかりでなく、作業者の頭や手の陰がシンク面やカウンター面などの作業面に投影され、作業がしづらいといった問題が生じる。
【特許文献１】特開２０００−３２２９３０号公報（第３頁、第１図）
【発明の開示】
【発明が解決しようとする課題】
【００１０】
本発明は、上記問題を解決するためになされたもので、本発明の目的は、キッチンのシンク面やカウンター面、或いは洗面台などの作業面のある程度広い範囲を照射するとともに、ランプの全光束を有効に活用し、吊り戸棚の半透明の扉に戸棚内の収納物の陰が投影されることがなく、半透明の扉面を発光させることで空間を引き立たせることができるシステムキッチン、流し台、洗面所等に設置する照明付き吊り戸棚を提供することにある。
【課題を解決するための手段】
【００１１】
上記目的を達成するために請求項１記載の発明によれば、吊り戸棚の底板に照明部を備えた照明付き吊り戸棚において、該吊り戸棚は、表面に光を散乱する処理が施された、透過性のある面材の扉を備え、該照明部は光源としての蛍光ランプを備え、前記照明部は、前記吊り戸棚の下方と、前記吊り戸棚の扉とを、照射する。
【００１２】
これにより、吊り戸棚の下方に向かって照射された光によって作業面を明るく照らすとともに、吊り戸棚の扉内面への光照射により、光を散乱する処理が施された透過性のある面材の扉が光り、空間を引き立たせることができる。また、光源は蛍光ランプなので余分な光源が不要であり経済的である。
【００１３】
請求項２記載の発明によれば、請求項１記載の照明付き吊り戸棚において、前記照明部に、前記吊り戸棚の下方に向かって光を照射する第１の透光部を該照明部の直下に備え、さらに前記吊り戸棚の扉内面方向に向って光を照射する第２の透光部を、該第１の透光部よりも手前側であって、前記吊り戸棚の底板の端部近傍に備える。
【００１４】
これにより、第１の透光部は吊り戸棚の底板端部より奥側に位置しているので、第１の透光部から照射される光は作業面の手前側に偏ることはない。したがって、作業面の照度は不均一になることなく、さらに作業者の頭や手の陰も出ないので作業に支障はない。また、第２の透光部は底板の端部近傍に備えたので、吊り戸棚内の収納物の陰が扉に投影されることなく扉が光り、空間を演出することができる。
【００１５】
また、本発明の好ましい様態として、請求項３記載の発明によれば、前記照明部は、前記吊り戸棚の下方に向かって前記第１の透光部から出射するように、前記蛍光ランプからの光を反射させる第１の反射部材と、前記吊り戸棚の扉内面方向に向って前記第２の透光部から出射するように、前記蛍光ランプからの光を反射させる第２の反射部材とを、備える。
【００１６】
これにより、第１の透光部、及び第２の透光部から出射する光は蛍光ランプからの直接光のみならず反射光も加わるので、作業面、及び扉内面に照射される光が増加し、より明るくできるとともに、蛍光ランプの全光束を有効活用できる。
【００１７】
請求項４記載の発明によれば、請求項１記載の照明付き吊り戸棚において、前記照明部は、直下に前記吊り戸棚の下方に向かって光を照射する第１の透光部を備え、さらに前記吊り戸棚の扉内面方向に向かって光を照射する第２の透光部を、前記蛍光ランプの光を導光する導光板の端面とし、該第２の透光部は該第１の透光部よりも手前側であって吊り戸棚の底板の端部近傍に備える。
【００１８】
これにより、第２の透光部から照射される光は、導光板の端面から出射される。導光板はアクリルなどの透明材料が一般的で、材料自体の臨界角未満の入射角度で入射した光は材料の表面で全反射して材料内を光が進行していくため、導光板をある程度屈曲させても光は導光する。したがって、導光板をある程度屈曲させて導光板端面からの光の出射方向を変えることができ、導光板端面からの出射方向の自由度が増すため、扉への配光を制御することができ、扉の光らせ方の自由度がアップする。
【００１９】
また、本発明の好ましい様態として、請求項５記載の発明によれば、請求項１乃至４記載の照明付き吊り戸棚において、前記照明部は吊り戸棚の底板の表面、及び裏面に飛び出しがない。
【００２０】
これにより、吊り戸棚の底板からの飛び出しがないため、吊り戸棚を下から見ても平坦であり、作業者の邪魔にならず圧迫感もなく意匠的にもスッキリして良い。一方吊り戸棚を中から見ても平坦であり、戸棚の収納の邪魔にならない。
【００２１】
請求項６記載の発明によれば、請求項５記載の照明付き吊り戸棚において、前記底板は空洞形状であって、該空洞内に前記照明部を収納する。
【００２２】
これにより、蛍光ランプの点灯装置である安定器や配線類を露出することなく配置できるので、取付工事の際、或いは使用時に邪魔にならない。また、美観を損なうこともない。
【発明の効果】
【００２３】
本発明によれば、一つの蛍光ランプによって吊り戸棚の下方と、吊り戸棚の扉内面を照射し、吊り戸棚の扉内面への光照射により吊り戸棚の扉を光らせたので、吊り戸棚の下方に向かって照射された光によって作業面を明るく照らすとともに、吊り戸棚の扉内面への光照射により、光を散乱する処理が施された透過性のある面材の扉が光り、空間を引き立たせることができる。また、光源は蛍光ランプなので余分な光源が不要であり経済的である。
【００２４】
また、吊り戸棚の扉内面方向に向って光を照射する第２の透光部を、該第１の透光部よりも手前側であって吊り戸棚の底板の端部近傍に備えたので、第１の透光部から照射される光は作業面の手前側に偏ることはない。したがって、作業面の照度は不均一になることはなく、作業者の頭や手の陰も出ないので作業に支障はない。さらに、第２の透光部は底板の端部近傍に備えたので、吊り戸棚内の収納物の陰が扉に投影されることなく扉が光り、空間を演出することができる。
【発明を実施するための最良の形態】
【００２５】
（第１の実施の形態）
以下、本発明の一実施の形態を図面に基づき詳細に説明する。
図１は本発明の第１の実施形態における光の照射方向を示した模式図である。図中１０は台所の床面、１１は壁面、１２は天井面、１３は流し台、１３ａは流し台の作業面、１３ｂは流し台の扉、１４は吊り戸棚、１８は吊り戸棚の底板、１９は吊り戸棚の扉、１５は照明部、１６は照明部から下方へ照射された光、１７ａは照明部から扉の内面に照射された光、１７は扉が光っている様子である。なお、照明部１６には蛍光ランプ（図示せず）が１本内蔵されている。また、吊り戸棚の扉１９は、例えばシボ加工等の光を散乱する処理が施された透過性のある面材である。
【００２６】
図２は、吊り戸棚１４の断面図で、図中２０は吊り戸棚の天板、２１は背板、２２は背板２１の補強材であり、これらと底板１８と側板（図示せず）にて箱形状を成している。扉１９は側板にヒンジ（図示せず）を介して接合され、開閉可能となっている。また、１１０は照明部１５への給電のための電源線、１１５は端子台、１２０は屋内配線の引き込み穴である。底板１８には端子台上部付近に開閉可能な蓋（図示せず）があり、この蓋を開けて端子台と屋内配線との結線ができるようになっている。
【００２７】
ここで、照明部から下方へ照射された光１６は、流し台の作業面１３ａの手前側に偏ることなく作業面全体を照射している。一方、照明部から扉の内面に照射された光１７ａは、底板１８の手前側端部近傍から照射されており、吊り戸棚内の収納物に遮られることなく扉内面を照射し、扉１７の散乱処理により光が散乱し、扉１７はやわらかく光り、空間を引き立てることができる。また、照明部１５の蛍光ランプ１本で、流し台の作業面１３ａを照射し、かつ扉１７を光らせており、蛍光ランプの全光束を有効活用している。
【００２８】
図３は、図１の吊り戸棚１４の照明部周辺の断面図である。
【００２９】
吊り戸棚の底板１８は断面形状が空洞であり、その中に照明部１５が内蔵されている。底板１８は、吊り戸棚の荷重、及び戸棚内の収納物の荷重に耐え得るよう、アルミニウムで押出し成形されたものである。照明部１５は、２４ワット蛍光ランプ３０、ランプソケット３１、ランプへの給電線１０５、安定器１００、電源線１１０、反射部材４０、反射部材４１、カバー５０、カバー５５で構成されている。電源線から供給された電力で安定器１１０を介してランプソケット３１に給電され、２４ワット蛍光ランプ３０が点灯する仕組みになっている。ランプソケット３１はネジ６０で、反射部材４０はネジ６１で、反射部材４１はネジ６２で、底板１８に各々固定されている。
【００３０】
カバー５０は、２４ワット蛍光ランプ３０の直下で底板１８の表面１８ｂより飛び出さないよう流し台の作業面に対向して配置されており、透過性のある乳白色のアクリル板である。このカバー５０には突起５１があり、この突起に指を引っ掛けて奥側（図中右側）にスライドさせると、軸部５２を支点として軸受け１８ｃの内面に接しながら回転し、カバー５０を開けることができる（図４参照）。一方、カバー５５は２４ワット蛍光ランプ３０よりも手前側（図中左側）の底板１８の端部で底板１８の裏面１８Ａと面一になるよう配置されており、透過性のある乳白色のアクリル板である。
【００３１】
扉１９は、扉面材１９ａとそれを固定している扉枠材１９ｂで構成されている。扉面材１９ａは、光の散乱処理としてのシボ処理を施した透明のアクリル板である。底板１８の手前側端部下方は１８ｄの如く傾斜しており、この部分と扉枠材１９ｂとの間の空間に指を挿入し扉枠材１９ｂを手前に引くことで扉１９を開けることができる仕組みになっている。
【００３２】
カバー５０を介して作業面に向かう光は、２４ワット蛍光ランプ３０から下方に向かって直接発せられる直接光１６Ｂｂに加え、反射部材４０の反射面４０ｃで反射した反射光１６ｃ、反射面４０ｄで反射した反射光１６ｄ、反射面４０ｅで反射した反射光１６ｅである。反射光１６ｃ、反射光１６ｄは作業面の手前側に向かって照射され、反射光１６ｅは作業面の奥側に向かって照射されており、２４ワット蛍光ランプ３０より遠方の作業面の明るさを補っている。また、カバー５５を介して扉面材１９ａに向かう光は、２４ワット蛍光ランプ３０から扉面材１９ａに向かって直接発せられる直接光１７ｂに加え、反射部材４１の反射面４１ｃで反射した反射光１７ｃである。直接光１７ｂは扉面材１９ａの下の部分、反射光１７ｃは扉面材１９ａの上の部分を照射しており、扉面材１９ａの広範囲を照射している。なお、反射部材４０、４１は、鏡面のアルミ板である。
【００３３】
以上の構成により、２４ワット蛍光ランプ３０は底板の手前側の端面よりも奥側に配置したので、直接光１６ｂからの光が作業面の手前側に偏ることなく作業面全体を照射できる。また、２４ワット蛍光ランプ３０より遠方の作業面に対しては、反射部材４０の反射光１６ｃ、１６ｄ、１６ｅによって作業面の手前側や奥側に光を照射して補っているので、作業面全体に渡って均一な明るさが得られ、作業がしやすい。
【００３４】
また、２４ワット蛍光ランプ３０よりも手前側で底板１８の端部付近のカバー５５から、扉面材１９ａに向かって直接光１７ｂ、反射光１７ｃが戸棚内の収納物に遮られることなく照射されており、扉面材１９ａのシボ処理により扉面材１９ａで光が散乱して面材がやわらかく光るので、この光により空間が引き立つ。反射光１７ｃは直接光１７ｂよりも上方を照射しているので、扉面材１９ａの上方まで明るく光り、扉面材１９ａの広範囲を明るく光らせることができる効果がある。
【００３５】
２４ワット蛍光ランプ３０は管長が５４９ミリメートルと長いため、ランプの長手方向に５４９ミリメートル程度の広範囲を照射することができるが、全光束が１７７０ルーメンと高いため、単純に作業面に直接光や反射光を照射すると作業面が明るすぎて作業がしづらい。ましてや、作業面が鏡面仕上げなど反射率の高い材質の場合は反射グレアを起こし、不快な視環境となる。しかしながらこの実施例では、ランプの全光束の一部を用いて、作業面の広範囲を直接光と反射光でバランスよく照射し、かつ、残りの全光束を用いて扉面材を光らせる工夫をしており、わずか１本のランプの全光束を有効に活用して実用上の光と意匠的な光を両立したものである。
【００３６】
また、照明部は底板１８からの飛び出しがないため、吊り戸棚を下から見ても平坦なので作業者の邪魔にならず圧迫感もないし、意匠的にもスッキリとした仕上がりとなる。吊り戸棚の中についても一切飛び出しがないので、戸棚の収納の邪魔になることはない。さらに、底板１８は断面形状が空洞でその中に安定器や配線類を収納したので、工事の時も実使用時も邪魔にならないし、かつ、美観を損なうこともない。
【００３７】
本実施形態においては、吊り戸棚の１本の蛍光ランプを設けた点を説明した。
ここで、キッチンでは流し台の長さはいろいろなサイズが考えられるため、複数の吊り戸棚に各１本の蛍光ランプを設けた場合が良い場合がある。この場合の施工例を図５に示す。
【００３８】
なお、カバー５５の表面にシボ処理を施すと光が散乱するので、扉面材１９ａに向う光が拡散光となり、扉面材１９ａをよりやわらかく光らせることができる。また、カバー５５のシボ処理、及び扉面材１９ａのシボ処理は光を散乱させるのが目的であり、シボ処理に限らず、サンドブラスト処理や、凹凸状の波形のシリンドリカルレンズやフレネルレンズでも良い。この実施形態においては、１５ワット型の１本の蛍光ランプ４の例を示したが、１０ワット型の蛍光ランプ２本を利用することができる。
【００３９】
（第２の実施の形態）図６は、図１の吊り戸棚１４の照明部周辺の断面図で、図２と重複する点は説明を省略する。この実施形態では、図２における反射部材４１、及びカバー５５がなく、導光板７０が追加されたものである。導光板７０は透明のアクリル板で、２４ワット蛍光ランプ３０に対向して端面７１が配置され、反対側の端面７２は、扉面材１９ａの方向を向いて配置されている。また、導光板７０は下に凸向きに湾曲しており、湾曲の半径（内側の半径）は導光板の板厚の２倍以上になっている。
【００４０】
アクリルは、臨界角４２°１０′以上の入射角では全反射を繰り返してアクリル内を光が進行する性質があるので、２４ワット蛍光ランプ３０から導光板７０の端面７１に向って発せられた光の内、臨界角４２°１０′以上の入射角で入射した光７４は導光板７０の中を通って反対側の端面７２から光を発する。導光板７０の湾曲の半径（内側の半径）は導光板７０の板厚の２倍以上なので、ほとんどの光が途中でアクリル板から漏れることなく、反対側の端面７２まで到達する。
【００４１】
端面７２の内、扉面材１９ａに遠い側の端面７２ａは平坦で、近い側７２ｂは凹凸状の波形のシリンドリカルレンズになっている。端面７２ａは平坦なので、ここから発せられる光７３ａは直進して端面７２ａから見て遠い側の扉面材１９ａの上方まで光が到達する。端面７２ｂはレンズ効果によって光が散乱するので、ここから発せられる光７３ｂは拡散光となり、端面７２ｂから見て近い側の扉面材１９ａの下方をやわらかく照射する。その結果、扉面材へ向かう光はほぼ均一となる。
【００４２】
以上の構成により、光７３ａと光７３ｂにより、扉面材１９ａで光が散乱して面材が均一にやわらかく光るので、この光により空間が引き立つ。また、導光板７０は屈曲させることができるので、端面７２から発せられる光の向きをある程度自由に設定でき、扉面材１９ａへの配光を制御することができ、扉の光らせ方の自由度がアップする。
【００４３】
以上の第１、第２の実施の形態において、反射部材４０、反射部材４１は底板１８と別体としたが、これに限らず底板１８の一部の面としても良く、その面が反射面となるよう印刷や塗装を施す方法もある。
【００４４】
また、カバー５０、カバー５５は乳白色のアクリル板としたが、これに限らず拡散性のある透過部材であれば良く、例としては透明樹脂への印刷や塗装がある。また材質としてはポリカーボネートやポリスチレンが挙げられる。
【産業上の利用可能性】
【００４５】
本発明の活用例として、台所のキッチンの他に、洗面所に設置する吊り戸棚を備えた洗面化粧台などがあげられる。
【図面の簡単な説明】
【００４６】
【図１】本発明の第１の実施形態の光の照射方向を示した模式図である。
【図２】本発明の第１の実施形態の吊り戸棚の断面図である。
【図３】本発明の第１の実施形態の吊り戸棚の照明部周辺の断面図である。
【図４】本発明の第１の実施形態の図２カバー５０が開いた状態の図である。
【図５】本発明の第１の実施形態に関するキッチンへの施工例である。
【図６】本発明の第２の実施形態の吊り戸棚の照明部周辺の断面図である。
【図７】従来技術に係る陳列棚用照明装置の断面図である。
【符号の説明】
【００４７】
１…照明装置
２…笠
３…穴、又はスリット穴
４…蛍光ランプ
６…駆動部
８…棚板
１３…流し台
１３Ａ…流し台の作業面
１４…吊り戸棚
１５…照明部
１６…照明部から下方へ照射された光
１６Ｂ…下方に向かって直接発せられる直接光
１６Ｃ、１６Ｄ、１６Ｅ…反射光
１７…扉が光っている様子
１７Ａ…照明部から扉の内面に照射された光
１７Ｂ…扉面材１９Ａに向かって直接発せられる直接光
１７Ｃ…反射光
１８…吊り戸棚の底板
１８Ａ…底板１８の表面
１８Ｂ…底板１８の裏面
１９…吊り戸棚の扉
１９Ａ…扉面材
１９Ｂ…扉枠材
３０…２４ワット蛍光ランプ
３１…ランプソケット
４０、４１…反射部材
４０Ｃ、４０Ｄ、４０Ｅ…反射面
５０、５５…カバー
７０…導光板
７１、７２…導光板の端面
７２Ａ…平坦な端面
７２Ｂ…凹凸状の波形のシリンドリカルレンズの端面
７３Ａ…端面７２Ａから発せられる光
７３Ｂ…端面７２Ｂから発せられる光
７４…端面７１に向かう光
１００…安定器
１０５…ランプへの給電線
１１０…電源線
１１５…端子台
【図１】
2005287739.tif 000003
【図２】
2005287739.tif 000004
【図３】
2005287739.tif 000005
【図４】
2005287739.tif 000006
【図６】
2005287739.tif 000007
【図７】
2005287739.tif 000008
【図５】
2005287739.tif 000009